(57)【要約】  【課題】充電時にイヤホンデバイス用の入力オーディオ信号を再生できる充電ベースと無線イヤホンデバイスのアセンブリーを提供すること。  【解決手段】無線イヤホンデバイス１がトランシーバーユニット１２、スピーカー１３、マイクロホン１４に接続された制御部１１及び、制御部１１とコネクターポート１６に接続された電力供給ユニット１５を備え、充電ベース２が電力供給モジュール２１及び音源モジュール２２に接続されたコネクターポート２３を備え、イヤホンデバイス１はコネクターポート１６、２３の接続に応じて充電モードで動作し、充電モードで充電電力供給ユニット１５はコネクターポート１６、２３を通じて電力供給モジュール２１によって充電され、制御部１１はスピーカー１３用の入力信号を音源モジュール２２によって再生するようにコネクターポート１６、２３を通じて音源モジュール２２へ伝送する。  【選択図】  図１
0003119248.tif 000002
【実用新案登録請求の範囲】
【請求項１】
制御部（１１）、
前記制御部（１１）に電気的に接続される無線トランシーバーユニット（１２）、
前記制御部（１１）に電気的に接続され、入力信号を再生するイヤホンスピーカー（１３）、
前記制御部（１１）に電気的に接続され、出力信号を拾い上げるイヤホンマイクロホン（１４）、
前記制御部（１１）に電気的に接続される充電電力供給ユニット（１５）、並びに
前記制御部（１１）及び前記充電電力供給ユニット（１５）に電気的に接続されるイヤホンコネクターポート（１６）を有する無線イヤホンデバイス（１）と、
電力供給モジュール（２１）、
音源モジュール（２２、２２’）、並びに
前記電力供給モジュール（２１）及び前記音源モジュール（２２、２２’）に電気的に接続されるベースコネクターポート（２３）を有する充電ベース（２、２’）とを備え、
前記無線イヤホンデバイス（１）が、前記イヤホンコネクターポート（１６）と前記ベースコネクターポート（２３）の接続に応じて充電モードで動作し、
充電モードにおいて、
前記充電電力供給ユニット（１５）が、前記イヤホンおよびベースコネクターポート（１６、２３）を通じて前記電力供給モジュール（２１）によって充電され、
前記制御部（１１）が、前記イヤホンスピーカー（１３）用の入力信号を前記音源モジュール（２２、２２’）によって聞こえるように再生するために、前記イヤホンおよびベースコネクターポート（１６、２３）を通じて前記音源モジュール（２２、２２’）へ伝送することを特徴とするアセンブリー。
【請求項２】
前記電力供給モジュール（２１）が、外部電源に接続されるように適応されていることを特徴とする請求項１に記載のアセンブリー。
【請求項３】
前記電力供給モジュール（２１）が、交換可能なバッテリーユニット（２１２）を備えることを特徴とする請求項１に記載のアセンブリー。
【請求項４】
前記音源モジュール（２２）が、ベースマイクロホン（２２３）を備え、
前記ベースマイクロホン（２２３）が、前記無線イヤホンデバイス（１）が充電モードで動作する場合、前記イヤホンおよびベースコネクターポート（１６、２３）を通じて前記制御部（１１）に伝送される出力信号を拾い上げることを特徴とする請求項１に記載のアセンブリー。
【請求項５】
前記充電ベース（２）が、
ユーザー入力ユニット（２４）、
前記ユーザー入力ユニット（２４）に電気的に接続されるオーディオ記録モジュール（２５）、及び
前記オーディオ記録モジュール（２５）に電気的に接続されるメモリユニット（２６）をさらに備え、
前記音源モジュール（２２）が、記録マイクロホン（２２５）と、前記記録マイクロホン（２２５）および前記オーディオ記録モジュール（２５）を相互接続させるマイクロホン結合回路（２２４）とを備え、
前記オーディオ記録モジュール（２５）が、前記ユーザー入力ユニット（２４）のユーザー操作に応じて、前記記録マイクロホン（２２５）によって拾い上げられたオーディオ信号を前記メモリユニット（２６）に記録するように記録モードで動作可能であり、
前記音源モジュール（２２）が、前記オーディオ記録モジュール（２５）に接続されるオーディオ再生回路（２２１）をさらに備え、
前記オーディオ記録モジュール（２５）が、前記ユーザー入力ユニット（２４）のユーザー操作に応じて、前記メモリユニット（２６）に記録されたオーディオ信号を前記オーディオ再生回路（２２１）によって聞こえるように再生するように、さらに再生モードで動作可能であることを特徴とする請求項１に記載のアセンブリー。
【請求項６】
前記充電ベース（２’）がさらに、
ユーザー入力ユニット（２４’）、
前記ユーザー入力ユニット（２４’）に電気的に接続されるデジタル再生モジュール（２５’）、及び
前記デジタル再生モジュール（２５’）に電気的に接続され、オーディオファイルを格納するメモリユニット（２６’）を備え、
前記音源モジュール（２２’）がさらに、前記デジタル再生モジュール（２５’）に接続されるオーディオ再生回路（２２１）を備え、
前記デジタル再生モジュール（２５’）が、前記メモリユニット（２６’）に格納されたオーディオファイルを前記オーディオ再生回路（２２１）によって聞こえるように再生するように、前記ユーザー入力ユニット（２４’）のユーザー操作に応じることを特徴とする請求項１に記載のアセンブリー。
【請求項７】
無線イヤホンデバイス（１）用の充電ベース（２、２’）であって、
電力供給モジュール（２１）と、
音源モジュール（２２、２２’）と、
前記電力供給モジュール（２１）が前記無線イヤホンデバイス（１）に充電信号を供給し、また、前記音源モジュール（２２、２２’）が前記無線イヤホンデバイス（１）から受信する入力信号を聞こえるように再生できるように、前記電力供給モジュール（２１）および前記音源モジュール（２２、２２’）に電気的に接続され、前記無線イヤホンデバイス（１）に電気的に接続されるように適応されているベースコネクターポート（２３）と、を備えることを特徴とする充電ベース。
【請求項８】
前記電力供給モジュール（２１）が、外部電源に接続されるように適応されていることを特徴とする請求項７に記載の充電ベース。
【請求項９】
前記電力供給モジュール（２１）が、交換可能なバッテリーユニット（２１２）を備えることを特徴とする請求項７に記載の充電ベース。
【請求項１０】
前記音源モジュール（２２、２２’）が、前記ベースコネクターポート（２３）が前記無線イヤホンデバイス（１）に電気的に接続される場合に、前記無線イヤホンデバイス１に伝送される出力信号を拾い上げるベースマイクロホン（２２３）を備えることを特徴とする請求項７に記載の充電ベース。
【請求項１１】
ユーザー入力ユニット（２４）と、
前記ユーザー入力ユニット（２４）に電気的に接続されるオーディオ記録モジュール（２５）と、
前記オーディオ記録モジュール（２５）に電気的に接続されるメモリユニット（２６）とをさらに備え、
前記音源モジュール２２が、記録マイクロホン（２２５）、および、前記記録マイクロホン（２２５）と前記オーディオ記録モジュール（２５）を相互接続させるマイクロホン結合回路（２２４）を備え、
前記オーディオ記録モジュール（２５）が、前記ユーザー入力ユニット（２４）のユーザー操作に応じて、前記マイクロホン（２２５）によって拾い上げられたオーディオ信号を前記メモリユニット（２６）に記録するように記録モードで動作可能であり、
前記音源モジュール（２２）が、前記オーディオ記録モジュール（２５）に接続されるオーディオ再生回路（２２１）をさらに備え、
前記オーディオ記録モジュール（２５）が、前記ユーザー入力ユニット（２４）のユーザー操作に応じて、前記メモリユニット（２６）に記録されたオーディオ信号を前記オーディオ再生回路（２２１）によって聞こえるように再生するようにさらに再生モードで動作可能であることを特徴とする請求項７に記載の充電ベース。
【請求項１２】
ユーザー入力ユニット（２４’）と、
前記ユーザー入力ユニット（２４’）に電気的に接続されるデジタル再生モジュール（２５’）と、
前記デジタル再生モジュール（２５’）に電気的に接続され、オーディオファイルを格納するメモリユニット（２６’）と、を備え、
前記音源モジュール（２２’）が、前記デジタル再生モジュール（２５’）に接続されるオーディオ再生回路（２２１）をさらに備え、
前記デジタル再生モジュール（２５’）が、前記メモリユニット（２６）に格納されたオーディオファイルを前記オーディオ再生回路（２２１）によって聞こえるように再生するように、前記ユーザー入力ユニット（２４’）のユーザー操作に応じることを特徴とする請求項７に記載の充電ベース。
【考案の詳細な説明】
【技術分野】
【０００１】
本考案の技術分野
本考案は、無線イヤホンデバイスおよび充電ベースのアセンブリーに関し、特に、無線イヤホンデバイスが充電モードにある時に、無線イヤホンデバイス用の入力オーディオ信号を聞こえるように再生することができる充電ベース及び無線イヤホンデバイスのアセンブリーに関する。
【背景技術】
【０００２】
無線通信技術の改良およびその品質の安定化で、携帯電話及びステレオシステムのような消費者電子製品と併用の無線イヤホンは広範囲に応用されてきた。例えば、ブルートゥースイヤホン、赤外線イヤホンなどがある。
【０００３】
一般に無線のイヤホンは、充電式電池によって電力を供給される。充電が望まれる場合、充電式電池は、変圧器あるいはＵＳＢケーブルとの接続を通じた、あるいは電池充電器を通じた充電電流によって充電される。しかしながら、無線イヤホンは充電プロセスの間には使用可能ではなく、ユーザーにとって不便である。
【考案の開示】
【考案が解決しようとする課題】
【０００４】
本考案の目的は、無線イヤホンデバイスおよび、無線イヤホンデバイスが充電モードの時に無線イヤホンデバイス用の入力オーディオ信号を聞こえるように再生する音源モジュールを有する充電ベースのアセンブリーを提供することにある。
【０００５】
本考案の別の目的は、無線イヤホンデバイスおよび、バッテリーユニットを通じて無線イヤホンデバイスを充電することができる充電ベースのアセンブリーを提供することにある。
【０００６】
また、本考案の別の目的は、無線イヤホンデバイスおよび、オーディオの記録と再生の機能を有する充電ベースのアセンブリーを提供することにある。
【０００７】
また、本考案の更なる別の目的は、無線イヤホンデバイスおよび、デジタル再生機能を有する充電ベースのアセンブリーを提供することにある。
【課題を解決するための手段】
【０００８】
上記の課題を解決するために、本考案に係るアセンブリーは無線イヤホンデバイスおよび充電ベースを備え、前記無線イヤホンデバイスは、制御部、前記制御部に電気的に接続される無線トランシーバーユニット、前記制御部に電気的に接続され、入力信号を再生するイヤホンスピーカー、前記制御部に電気的に接続され、出力信号を拾い上げるイヤホンマイクロホン、前記制御部に電気的に接続される充電電力供給ユニット、及び前記制御部と前記充電電力供給ユニットに電気的に接続されるイヤホンコネクターポートを備え、前記充電ベースは、電力供給モジュール、音源モジュール、及び前記電力供給モジュールと前記音源モジュールに電気的に接続されるベースコネクターポートを備え、前記無線イヤホンデバイスは、前記イヤホンコネクターポートと前記ベースコネクターポートの接続に応じて充電モードで動作し、充電モードにおいて、前記充電電力供給ユニットは前記イヤホンおよびベースコネクターポートを通じて前記電力供給モジュールによって充電され、前記制御部は前記イヤホンスピーカー用の入力信号を前記音源モジュールによって聞こえるように再生するために、イヤホンおよびベースコネクターポートを通じて前記音源モジュールへ伝送することを特徴とする。
【０００９】
本考案の第２側面によれば、無線イヤホンデバイス用の充電ベースは、電力供給モジュールと、音源モジュールと、前記電力供給モジュールが前記無線イヤホンデバイスに充電信号を供給し、また、前記音源モジュールが前記無線イヤホンデバイスから受信する入力信号を聞こえるように再生できるように、前記電力供給モジュールおよび前記音源モジュールに電気的に接続され、前記無線イヤホンデバイスに電気的に接続されるように適応されているベースコネクターポートとを備えることを特徴とする。
【考案を実施するための最良の形態】
【００１０】
本考案をより詳しく説明する前に、類似の要素が開示の全体にわたって同じ参照符号によって示されることを注意しておく。
【００１１】
図１及び図２に示されるように、本考案に係るアセンブリーの第１の好ましい実施の形態は無線イヤホンデバイス１および充電ベース２を備える。
【００１２】
本第１の実施の形態では無線イヤホンデバイス１は、ブルートゥース無線イヤホンのような高周波の無線イヤホンである。無線イヤホンデバイス１は、制御部１１、制御部１１と電気的に接続され、無線通信信号を送信及び受信する無線トランシーバーユニット１２、制御部１１と電気的に接続され、入力信号を聞こえるように再生するイヤホンスピーカー１３、制御部１１と電気的に接続され、出力信号を拾い上げるイヤホンマイクロホン１４、制御部１１や無線トランシーバーユニット１２、イヤホンスピーカー１３、イヤホンマイクロホン１４に電力を供給する充電電力供給ユニット１５、及び制御部１１と充電電力供給ユニット１５に電気的に接続されるイヤホンコネクターポート１６を備える。
【００１３】
特に、無線トランシーバーユニット１２は無線信号の形態で入ってくる入力オーディオ信号を受信すると、それを電気信号に変換して制御部１１へ送信する。その後、制御部１１は入力オーディオ信号をアナログ形式に変換してイヤホンスピーカー１３に送信する。ユーザーが話す場合、イヤホンマイクロホン１４は、拾い上げた音を電気信号の形態の出力オーディオ信号に変換し、制御部１１に送信する。その後、制御部１１は、出力オーディオ信号をデジタル化して無線トランシーバーユニット１２へ送信し、その結果、デジタル化された電気信号の形態の出力オーディオ信号が、後の送信のために無線信号に変換される。
【００１４】
本第１の実施の形態の充電ベース２は、電力供給モジュール２１、音源モジュール２２、および電力供給モジュール２１と音源モジュール２２に電気的に接続されたベースコネクターポート２３を備えている。
【００１５】
無線イヤホンデバイス１は、イヤホンコネクターポート１６とベースコネクターポート２３の接続に応じて充電モードで動作する。この充電モードの時に、充電電力供給ユニット１５は、イヤホンとベースコネクターポート１６、２３を通じて電力供給モジュール２１によって充電され、また、制御部１１はイヤホンコネクターポート１６およびベースコネクターポート２３を通じて、イヤホンスピーカー１３用の入力信号を、聞こえるように音源モジュール２２によって再生させるために、音源モジュール２２に伝送する。
【００１６】
イヤホンコネクターポート１６が制御部１１および充電電力供給ユニット１５と電気的に接続しているので、外部の充電電力はイヤホンコネクターポート１６を介して充電電力供給ユニット１５に伝送されることができる。その結果、充電電力供給ユニット１５は伝送された充電電力を用いて、必要な電力（例えば、制御部１１および無線トランシーバーユニット１２が必要とする電力）で無線イヤホンデバイス１を充電し、及び必要な電力を供給して、充電中の無線イヤホンデバイス１の継続的な動作を確保する。制御部１１は、入力オーディオ信号を、再生のために、イヤホンコネクターポート１６あるいはイヤホンスピーカー１３へ選択的に送信することができ、また、出力オーディオ信号を、イヤホンコネクターポート１６あるいはイヤホンマイクロホン１４から選択的に受信することができる。本実施の形態では、無線イヤホンデバイス１のイヤホンコネクターポート１６が充電ベース２と電気的に接続している場合、つまり、無線イヤホンデバイス１が充電モードで動作する場合、制御部１１は、イヤホンコネクターポート１６から入力オーディオ信号を受信し、またイヤホンコネクターポート１６へ出力オーディオ信号を送信するようにセットされる。
【００１７】
本実施の形態では、ベースコネクターポート２３およびイヤホンコネクターポート１６は、１０ピンの電気コネクターである。しかしながら、ベースコネクターポート２３およびイヤホンコネクターポート１６が、異なる数のピンを有する他の電気コネクターであってもよく、ここに示されるものに制限されるべきではない。
【００１８】
電力供給モジュール２１は充電ベース２に必要な電力を供給し、無線イヤホンデバイス１を充電するのに必要とする充電信号を生成する。特に、図３に示されるように、本実施の形態の電力供給モジュール２１は、（例えば６Ｖの直流電源のような）外部電源に接続されるように設計された充電ポート２１１を有し、また、交換可能なバッテリーユニット２１２を備える。また、図２に示されるように、電力供給モジュール２１は、充電ポート２１１を通じて、電力ケーブル３の一端３０に接続されうる。電力ケーブル３の他端３１は、電子装置（図示せず）のＵＳＢインタフェースへの接続のためのＵＳＢコネクターに接続され、これにより、電力供給モジュール２１は電子装置の電力を利用することができる。例えば、電力供給モジュール２１は、外部電源あるいは交換可能なバッテリーユニット２１２から供給される電力を充電ベース２の必要とする電力に変換し、また、例えば無線イヤホンデバイス１用に１０Ｖの充電信号を生成する。交換可能なバッテリーユニット２１２の両端がベースコネクターポート２３のピン５及びピン６に電気的に接続されて、ピン５及びピン６を通じて充電信号を出力する。もちろん、ピン５及びピン６に対応するイヤホンコネクターポート１６のピンが、充電電力供給ユニット１５に電気的に接続されている。
【００１９】
図４に示されるように、本実施の形態で音源モジュール２２は、スピーカー２２２を有するオーディオ再生回路２２１を備えている。オーディオ再生回路２２１は、ベースコネクターポート２３のピン３及びピン４に接続される。そして、ベースコネクターポート２３のピン３及びピン４に対応するイヤホンコネクターポート１６のピン３およびピン４（図示せず）は制御部１１に電気的に接続され、これにより、無線イヤホンデバイス１が充電モードで動作する場合、制御部１１は入力オーディオ信号を音源モジュール２２へ伝送することができる。オーディオ再生回路２２１は、無線イヤホンデバイス１から入力オーディオ信号を受信し、再生のために処理されたオーディオ信号をスピーカー２２２に送信する。更に、イヤホンコネクターポート１６のピン１およびピン２（図示せず）が制御部１１に電気的に接続されている。これにより、無線イヤホンデバイス１が充電モードで動作する場合、制御部１１は充電ベース２からの出力オーディオ信号を受信することができる。音源モジュール２２は、ベースコネクターポート２３のピン１及びピン２と電気的に接続されるベースマイクロホン２２３をさらに備える。ベースマイクロホン２２３は、無線イヤホンデバイス１が充電モードで動作する場合、ユーザーの音声を拾い上げ、イヤホンおよびベースコネクターポート１６、２３を通じて制御部１１に伝送される出力オーディオ信号を生成する。
【００２０】
無線イヤホンデバイス１のイヤホンコネクターポート１６が充電ベース２のベースコネクターポート２３に電気的に接続される場合、電力供給モジュール２１によって生成された充電信号は、ベースコネクターポート２３のピン５及びピン６を通じて無線イヤホンデバイス１の充電電力供給ユニット１５に伝送されて、無線イヤホンデバイス１を充電することができる。同時に、無線イヤホンデバイス１の制御部１１は、無線トランシーバーユニット１２の受信した入力オーディオ信号をスピーカー２２２によって再生するように、イヤホンおよびベースコネクターポート１６、２３のピン３、ピン４を通じてオーディオ再生回路２２１へ送信することができる。ベースマイクロホン２２３によって拾い上げられた出力オーディオ信号は、イヤホンおよびベースコネクターポート１６、２３のピン１、ピン２を通じて制御部１１に送信される。制御部１１は出力オーディオ信号を無線トランシーバーユニット１２に送信して後続の出力のための無線信号への変換を可能にする。
【００２１】
したがって、無線イヤホンデバイス１が充電モードにあっても、オーディオ信号の再生あるいは拾い上げは充電ベース２を使用することにより依然として行われることができる。それによって、充電中に無線イヤホンデバイス１の使用を中止するという従来技術の欠点を克服することができる。さらに、ユーザーは、充電ベース２を無線イヤホンデバイス１のスピーカーあるいはピックアップデバイスとして利用することもできる。それによって、無線イヤホンデバイス１の長時間の着用により引き起こされる不快感、並びにユーザーの聴覚器官に対して生じる可能性のある悪影響を回避することができる。
【００２２】
本第１の好ましい実施の形態はさらに記録と再生の機能を持っている。図１に示されるように、充電ベース２はさらに、ユーザー入力ユニット２４、ユーザー入力ユニット２４に電気的に接続されたオーディオ記録モジュール２５、および、オーディオ記録モジュール２５に電気的に接続され、オーディオ記録モジュール２５の後のアクセスのためにデータを格納するように適応されたメモリユニット２６を備える。本実施の形態のメモリユニット２６はフラッシュメモリである。
【００２３】
図４に最も良く示されているように、音源モジュール２２はさらに、記録マイクロホン２２５及び、記録マイクロホン２２５によって拾い上げられたオーディオ信号がオーディオ記録モジュール２５に供給されるように記録マイクロホン２２５とオーディオ記録モジュール２５を相互接続させるマイクロホン結合回路２２４を備える。音源モジュール２２のオーディオ再生回路２２１もオーディオ記録モジュール２５に接続されている。
【００２４】
オーディオ記録モジュール２５はユーザー入力ユニット２４のユーザー操作に応じて、記録マイクロホン２２５によって拾い上げられたオーディオ信号をメモリユニット２６に記録するように記録モードで動作可能である。さらに、オーディオ記録モジュール２５はユーザー入力ユニット２４のユーザー操作に応じて、メモリユニット２６に記録されたオーディオ信号をスピーカー２２２を通じて聞こえるようにオーディオ再生回路２２１によって再生するために再生モードで動作可能である。
【００２５】
好ましくは、ユーザー入力ユニット２４はＲＥＣＯＲＤ、ＰＬＡＹおよびＳＴＯＰの押しボタン（図示せず）を備える。ＲＥＣＯＲＤの押しボタンが押されると、記録コマンドが、オーディオ記録モジュール２５に入力されてオーディオ記録モジュール２５を記録モードにセットする。ＰＬＡＹの押しボタンが押されると、プレーコマンドが、オーディオ記録モジュール２５に入力されてオーディオ記録モジュール２５を再生モードにセットする。ＳＴＯＰの押しボタンが押されると、停止コマンドが、オーディオ記録モジュール２５に入力されてオーディオ記録モジュール２５の動作を止めさせる。
【００２６】
オーディオ記録モジュール２５は、ＳＰＣＥ０６１Ａのようなオーディオ信号処理機能を有するチップである。
【００２７】
図５に示されているように、オーディオ記録モジュール２５は主として、マイクロプロセッサ２５１、マイクロホン結合回路２２４に電気的に接続されたアナログ／デジタル変換器（ＡＤＣ）２５２、およびオーディオ再生回路２２１に電気的に接続されたデジタル／アナログ変換器（ＤＡＣ）２５３を備える。
【００２８】
オーディオ記録モジュール２５がユーザー入力ユニット２４から記録コマンドを受信すると、記録マイクロホン２２５は周囲の音をオーディオ信号として拾い上げることができる。拾い上げられた音はマイクロホン結合回路２２４を通じてアナログ／デジタル変換器２５２に供給される。アナログ／デジタル変換器２５２は、オーディオ信号をデジタル化してマイクロプロセッサ２５１へ送信する。マイクロプロセッサ２５１はオーディオ信号を、記録動作を行なうためにメモリユニット２６への格納用の音声データに変換する。プレーコマンドを受信すると、オーディオ記録モジュール２５のマイクロプロセッサ２５１はメモリユニット２６に格納されたデータを検索し、データをオーディオ信号に変換してデジタル／アナログ変換器２５３へ送信する。デジタル／アナログ変換器２５３はオーディオ信号をアナログ形式に変換してアナログ信号をオーディオ再生回路２２１に送信する。オーディオ再生回路２２１はアナログ信号をスピーカー２２２に送信して、検索されたデータを再生させる。オーディオ記録モジュール２５は、記録または再生の動作中の任意の時点で停止コマンドを受信し次第、動作を停止する。即ち、第１の好ましい実施の形態の充電ベース２は、音を記録および再生する二重機能を有する。
【００２９】
なお、本考案の充電ベース２は、デジタル音楽再生機能のような他の機能をも取り入れうるし、上記で開示されたものに限定されるべきではない。図６に示されるように、本考案の第２の好ましい実施の形態では、充電ベース２’はオーディオ記録モジュール２５の代わりに、デジタル再生モジュール２５’を備えている。デジタル再生モジュール２５’は、ユーザー入力ユニット２４’、音源モジュール２２’のオーディオ再生回路２２１（図４を参照）、及びメモリユニット２６’に電気的に接続されている。メモリユニット２６’は、ＭＰ３音楽ファイルのような複数のオーディオファイルを格納する。本実施の形態では、デジタル再生モジュール２５’は、ＭＰ３音楽ファイルのようなオーディオファイルをエンコード及びデコードするデジタル音楽コーデックデバイス２５１’、及びデジタル／アナログ変換器２５２’を備えている。デジタル再生モジュール２５’がユーザーによって入力されたプレーコマンドをユーザー入力ユニット２４’を通じて受信すると、デジタル音楽コーデック２５１’はメモリユニット２６’からオーディオファイルを検索してデコードし、デコードされたオーディオファイルをデジタル／アナログ変換器２５２’に送信する。そして、デジタル／アナログ変換器２５２’は、オーディオファイルをアナログ形式に変換し、再生のために音源モジュール２２’に送信する。したがって、ユーザーは、第２の好ましい実施の形態の充電ベース２’をデジタル音楽プレーヤーとして利用することもできる。
【００３０】
要するに、本考案の充電ベース２、２’は無線イヤホンデバイス１を充電するために使用されることができるのみならず、さらに、無線イヤホンデバイス１が充電モードで動作する場合、無線イヤホンデバイス１用の入力オーディオ信号を聞こえるように再生し、また出力オーディオ信号を拾い上げて無線イヤホンデバイス１へ送信するためにも使用されることができる。それ以外に、充電ベース２、２’は、無線イヤホンデバイス１の代わりの再生および記録媒体としての役割を果たすことができるので、無線イヤホンデバイス１の長時間の着用によるユーザーの不快感を除去することができる。また、交換可能なバッテリーユニット２１２の配置は、外部電源が容易に利用可能でない屋外環境においても無線イヤホンデバイス１の充電を可能にする。更に、充電ベース２、２’はオーディオ記録モジュール２５あるいはデジタル再生モジュール２５’を備えているので機能性が一層強化される。
【００３１】
以上では、本考案を最も実用的と考えられる好ましい実施の形態に関連して説明したが、本考案は、上記開示された実施の形態に限定されるものではなく、種々の修正および均等な配置をすべて包含するような最も広い解釈の思想および範囲内に含まれる様々な配置をカバーすることが意図されていることは言うまでもない。
【図面の簡単な説明】
【００３２】
【図１】本考案に係る無線イヤホンデバイスおよび充電ベースのアセンブリーの第１の実施の形態の概略構成を示すブロック図である。
【図２】第１の実施の形態の斜視図である。
【図３】第１の実施の形態の電力供給モジュールの回路図である。
【図４】第１の実施の形態の音源モジュールの回路図である。
【図５】第１の実施の形態のオーディオ記録モジュールの概略構成を示すブロック図である。
【図６】本考案に係る第２の実施の形態の充電ベースの概略構成を示すブロック図である。
【符号の説明】
【００３３】
１  無線イヤホンデバイス
２、２’  充電ベース
３  電力ケーブル
１１  制御部
１２  無線トランシーバーユニット
１３  イヤホンスピーカー
１４  イヤホンマイクロホン
１５  充電電力供給ユニット
１６  イヤホンコネクターポート
２１  電力供給モジュール
２２、２２’  音源モジュール
２３  ベースコネクターポート
２４、２４’  ユーザー入力ユニット
２５  オーディオ記録モジュール
２５’  デジタル再生モジュール
２６、２６’  メモリユニット
２１１  充電ポート２１１
２１２  交換可能なバッテリーユニット
２２１  オーディオ再生回路
２２２  スピーカー
２２３  ベースマイクロホン
２２４  マイクロホン結合回路
２２５  記録マイクロホン
２５１  マイクロプロセッサ
２５１’  デジタル音楽コーデック
２５２、２５２’  アナログ／デジタル変換器（ＡＤＣ）
２５３  デジタル／アナログ変換器（ＤＡＣ）
【図１】
0003119248.tif 000003
【図２】
0003119248.tif 000004
【図３】
0003119248.tif 000005
【図４】
0003119248.tif 000006
【図５】
0003119248.tif 000007
【図６】
0003119248.tif 000008